(57)【要約】【課題】従来型のものよりも重量および容積を小さく抑えつつ、大型のファイルを収容可能な背負い鞄を提供する。【解決手段】背負い鞄は、一対の肩ベルトと、一対の肩ベルトと連結された本体部とを備えている。本体部は、背板部と、背板部とともに収容空間を形成する収容部を有している。収容部は、収容空間を介して横幅方向に互いに対向する一対の側面板を有している。各側面板は、収容空間の横幅を局所的に大きくする帯状窪み部を有している。各帯状窪み部は、高さ方向に延在するとともに収容空間に露出している。【選択図】図２
2014183859.tif 000002
【特許請求の範囲】
【請求項１】
一対の肩ベルトと、
前記一対の肩ベルトと連結された本体部と
を備え、
前記本体部は、背板部と、前記背板部とともに収容空間を形成する収容部を有し、
前記収容部は、前記収容空間を介して横幅方向に互いに対向する一対の側面板を有し、
各前記側面板は、横幅を局所的に大きくする帯状窪み部を有し、
各前記帯状窪み部は、高さ方向に延在するとともに前記収容空間に露出している
背負い鞄。
【請求項２】
前記帯状窪み部は、前記側面板の上端から下端に渡って延在しており、
当該背負い鞄は、前記帯状窪み部のうち、前記側面板の上端に位置する部分を覆う補強部を備えた
請求項１に記載の背負い鞄。
【請求項３】
一方の前記補強部と他方の前記補強部との距離のうち、前記帯状窪み部のあるところの距離が、Ａ４フラットファイルの横幅よりも広くなっており、
前記帯状窪み部の幅が、前記Ａ４フラットファイルの背幅と、前記補強部のうち前記帯状窪み部の側面に位置する部分の厚みとを互いに加算することにより得られた値よりも広くなっている
請求項２に記載の背負い鞄。
【請求項４】
各前記帯状窪み部は、前記側面板全面に使用される基材をプレス加工することにより形成されたものである
請求項１ないし請求項３のいずれか一項に記載の背負い鞄。
【請求項５】
各前記帯状窪み部は、複数枚の基材を貼り合わせることにより形成されたものである
請求項１ないし請求項３のいずれか一項に記載の背負い鞄。
【発明の詳細な説明】
【技術分野】
【０００１】
本開示は、ランドセルやリュックサック等の背負い鞄に関する。
【背景技術】
【０００２】
低学年の学童にとっては、ランドセルの重さは、かなりの負担となっている。そのような負担を軽減するために、従来から、ランドセルには、軽量化や、荷重の分散化、重心位置の調整などの様々な工夫がなされている（例えば、特許文献１参照）。ところが、近年、それに逆行するかのような現象が散見されるようになってきた。具体的には、Ａ４のプリント類を折り曲げずに綴じることのできるＡ４フラットファイルを収容可能なワイドサイズのランドセルが登場してきている。これは、副教材として使用される資料を綴じるツールとして、Ａ４フラットファイルを学童に使用するよう指導する教師が登場してきたことに依るところが大きい。
【先行技術文献】
【特許文献】
【０００３】
【特許文献１】特許３７４３９１０号公報
【発明の概要】
【発明が解決しようとする課題】
【０００４】
ランドセルのワイドサイズ化は、ランドセルの重量化を招くだけではない。ワイドサイズのランドセルに収納された教材は、歩行時に、ランドセルの中で左右に大きく揺れ、それに伴ってランドセルの重心も左右に大きく揺れる。ランドセルの重心の大きな遥動は、ランドセルの実際の重量よりも遥かに大きな重量を学童に感じさせることになり、学童にとっては大きな負担となる。このような体に感じられる重量は、実際の重量と区別して、体感重量と称される。
【０００５】
ところが、上市されているワイドサイズ対応のランドセルでは、体感重量が考慮されていない。それは、体感重量が学童の感覚に依るものであり、しかも、体感重量の計測方法が確立されていないからとも言える。体感重量は、様々な要因によって変化するものであるが、その要因の１つとして容積が挙げられる。ワイドサイズに対応したランドセルでは、横幅が大きくなった分だけ容積が大きくなっており、容積が大きくなった分だけ体感重量が増大する。本出願人は、ランドセルをワイドサイズに対応させるのであれば、学童への負担をできる限り低減すべく、実際の重量だけでなく、体感重量についても最大限に考慮すべきと考える。
【０００６】
なお、上記の問題は、ランドセル固有の問題ではなく、リュックサック等の背負い鞄において生じ得る問題である。
【０００７】
本開示はかかる問題点に鑑みてなされたもので、その目的は、従来型のものよりも重量および容積を小さく抑えつつ、大型のファイルを収容可能な背負い鞄を提供することにある。
【課題を解決するための手段】
【０００８】
本開示の背負い鞄は、一対の肩ベルトと、一対の肩ベルトと連結された本体部とを備えたものである。本開示の背負い鞄において、本体部は、背板部と、背板部とともに収容空間を形成する収容部を有している。収容部は、収容空間を介して横幅方向に互いに対向する一対の側面板を有している。各側面板は、収容空間の横幅を局所的に大きくする帯状窪み部を有している。各帯状窪み部は、高さ方向に延在するとともに収容空間に露出している。
【０００９】
本開示の背負い鞄では、収容空間の横幅を局所的に大きくする帯状窪み部が各側面板に設けられている。これにより、一対の帯状窪み部によって形成される空隙を利用して、大型のファイルを収容空間に収容することが可能となる。このとき、収容空間の横幅は、帯状窪み部の設けられている部分よりも、帯状窪み部の設けられていない部分において、狭くなっている。そのため、収容空間の横幅が場所に依らず均一となっており、かつ、大型のファイルを収容可能な大きさとなっている従来型の背負い鞄と比べて、収容空間の容積を小さくすることができ、さらに、背負い鞄の重量も小さくすることができる。
【００１０】
本開示の背負い鞄において、各帯状窪み部は、樹脂成形によって形成された部品で構成されたものではない。各帯状窪み部は、例えば、側面板全面に使用される基材をプレス加工することにより形成されたものである。また、各帯状窪み部は、例えば、複数枚の基材を貼り合わせることにより形成されたものである。側面板全面に使用される基材としては、例えば、皮革と樹脂フィルムとを互いに張り合わせたものが挙げられる。本開示の背負い鞄では、樹脂成形によって形成された重量の重い部品を使う必要がないので、帯状窪み部を背負い鞄に設けたことによる重量の増大はない。
【００１１】
本開示の背負い鞄において、帯状窪み部は、側面板の上端から下端に渡って延在していてもよい。この場合、背負い鞄は、帯状窪み部のうち、側面板の上端に位置する部分を覆う補強部を各側面板に備えていてもよい。背負い鞄に上記補強部が設けられている場合、一方の補強部材と他方の補強部材との距離のうち、帯状窪み部のあるところの距離が、Ａ４フラットファイルの横幅（具体的には２３０ｍｍ）よりも広くなっている。さらに、帯状窪み部の幅が、Ａ４フラットファイルの背幅（具体的には１８ｍｍ）と、補強部のうち帯状窪み部の側面に位置する部分の厚みとを互いに加算することにより得られた値よりも広くなっている。帯状窪み部の幅は、場所に依らず均一または略均一となっていてもよいし、側面板の下端側よりも側面板の上端側で広くなっていてもよい。
【００１２】
本開示の背負い鞄において、本体部は、側面板および背板部を互いに縫合することにより形成された縫い代を有していてもよい。この場合、帯状窪み部に対応して側面板の外面に形成された帯状突出部が、正面板側から本体部を見たときに、縫い代よりも外にはみ出さない位置に形成されていることが好ましい。また、本開示の背負い鞄において、側面板および背板部が、縫い代無しで互いに縫合されていてもよい。この場合、帯状窪み部に対応して側面板の外面に形成された帯状突出部は、正面板側から本体部を見たときに、背板部から外にはみ出した位置に形成されている。
【発明の効果】
【００１３】
本開示の背負い鞄では、収容空間の横幅を局所的に大きくする帯状窪み部を各側面板に形成したので、従来型のものよりも重量および容積を小さく抑えつつ、大型のファイルを収容することが可能である。
【００１４】
本開示の背負い鞄において、帯状窪み部のうち、側面板の上端に位置する部分を覆う補強部を設けた場合、帯状窪み部の型崩れを抑制することができる。その結果、長期間に渡って大型のファイルを収容することが可能である。
【図面の簡単な説明】
【００１５】
【図１】本開示の一実施の形態に係るランドセルの斜視構成の一例を表す図である。
【図２】主収容部の収容空間が外部から見えるよう、かぶせ部の一部を省略したときの、ランドセルの斜視構成の一例を表す図である。
【図３】主収容部の断面構成の一例を表す図である。
【図４】主収容部の上端の平面構成の一例を表す図である。
【図５】縫い代が省略されたときの、ランドセルの斜視構成の一例を表す図である。
【図６】図５のランドセルにおける主収容部の断面構成の一例を表す図である。
【図７】帯状窪み部の第１変形例を表す図である。
【図８】帯状窪み部の第２変形例を表す図である。
【図９】帯状窪み部の第３変形例を表す図である。
【図１０】主収容部のうち側面板の一部の断面構成の一変形例を表す図である。
【図１１】主収容部のうち側面板の一部の断面構成の他の変形例を表す図である。
【図１２】主収容部のうち側面板の一部の上端の平面構成の一変形例を表す図である。
【発明を実施するための形態】
【００１６】
以下、本開示の実施の形態について、図面を参照して詳細に説明する。なお、説明は以下の順序で行う。
１．実施の形態（縫い代が設けられている例）
１．１  構成
１．２  効果
２．変形例
２．１  縫い代が省略された例
２．２  その他の例
【００１７】
＜１．実施の形態＞
［１．１  構成］
図１は、本開示の一実施の形態に係るランドセル１の斜視構成の一例を表したものである。ランドセル１は、例えば、本体部１０と、一対の肩ベルト２０と、一対の接続ベルト３０とを備えている。一対の肩ベルト２０と、一対の接続ベルト３０とが、本体部１０と連結されている。本体部１０は、一対の肩ベルト２０と連結されたものである。本体部１０は、例えば、背板部１１と、背板部１１に固定された主収容部１２と、主収容部１２に縫着された従収容部１３と、従収容部１３に縫着された従収容部１４とを有している。主収容部１２は、従収容部１３，１４と比べて、マチ幅の広い収容部である。なお、必要に応じて、従収容部１３や従収容部１４を省略することが可能である。本体部１０は、例えば、さらに、背板部１１に固定された固定部１５およびかぶせ部１６を有している。
【００１８】
図２は、主収容部１２の収容空間１２Ａ（後述）が外部から見えるよう、かぶせ部１６の一部を省略したときの、ランドセル１の斜視構成の一例を表したものである。図３は、主収容部１２の断面構成の一例を表したものである。主収容部１２は、背板部１１とともに、上端に開口を有する箱体を構成している。主収容部１２は、背板部１１とともに、教科書や副教材などを収容可能な空隙（つまり、収容空間１２Ａ）を形成している。背板部１１は、使用者の背中への当たりを柔らかくするものであり、例えば、クッション材を含む板状の形状となっている。
【００１９】
主収容部１２は、例えば、背板部１１とともに収容空間１２Ａを四方から囲む一対の側面板１７および正面板１８を有しており、さらに、収容空間１２Ａの底を塞ぐ底面板１９を有している。一対の側面板１７は、収容空間１２Ａを介して、ランドセル１の横幅方向に互いに対向配置されている。一対の側面板１７および底面板１９は、例えば、Ｕ字型に折り曲げた１枚の帯状基材のうち、幅方向の端縁を外側に折り曲げた上で、背板部１１に縫い合わせることにより形成されている。一対の側面板１７および底面板１９と、背板部１１とを互いに縫い合わせた部分は、例えば、図２に示したように、外部に突出した縫い代２１となっている。つまり、本体部１０は、側面板１７および背板部１１を互いに縫合することにより形成された縫い代２１を有している。主収容部１２は、例えば、図２、図３に示したように、縫い代２１を補強する補強部２２を有していてもよい。正面板１８は、収容空間１２Ａを介して背板部１１と互いに対向配置されている。正面板１８は、例えば、一対の側面板１７および底面板１９からなるＵ字型の部材の端縁に縫い合わされている。なお、各側面板１７については、後に改めて詳述するものとする。
【００２０】
主収容部１２は、例えば、図２、図４に示したように、当該主収容部１２の開口形状を補強する補強部２３を有していてもよい。補強部２３は、主収容部１２の上端に沿って形成されている。補強部２３は、一対の側面板１７および底面板１９からなるＵ字型の部材（以下、「Ｕ字型部材１１Ｂ」と称する。）の上端部（つまりコバ）を覆うように形成されている。つまり、補強部２３は、Ｕ字型部材１１Ｂの上端面と、Ｕ字型部材１１Ｂの外側の面の上端縁と、Ｕ字型部材１１Ｂの内側の面の上端縁とを覆っている。補強部２３は、例えば、Ｕ字型部材１１Ｂの上端部（つまりコバ）を覆う１枚の帯状基材を、一対の側面板１７および底面板１９とともに縫い合わせることにより形成されたものである。
【００２１】
従収容部１３は、主収容部１２の収容空間より小さな収容空間を有している。従収容部１３は、例えば、主収容部１２の正面板１８とともに、上端に開口を有する箱体を構成している。従収容部１４は、従収容部１３の収容空間より小さな収容空間を有している。従収容部１４は、例えば、チャックなどの開閉構造を上面に有している。
【００２２】
かぶせ部１３は、主収容部１２、従収容部１３および従収容部１４を覆うものであり、例えば、主収容部１２および従収容部１３の開口を塞ぐようになっている。かぶせ部１３の一端は、例えば、背板部１２の上端に縫着するなどして取り付けられている。かぶせ部１３の他端は、係合板（図示せず）を介して、底面板１９に設けられた固定部（図示せず）に係脱自在に取り付けられている。固定部１４は、肩ベルト２０の一端を本体部１０に固定するものであり、背板部１１の上端に設けられている。
【００２３】
肩ベルト２０は、ランドセル１を背中に背負うためのものであり、帯状の形状となっている。肩ベルト２０の一端は、上述したように固定部１４に固定されており、肩ベルト２０の他端は、接続ベルト３０を介して、底面板１９に設けられた固定部に固定されている。そのため、一対の肩ベルト２０を両肩に掛けることにより、ランドセル１を背中に背負うことが可能である。
【００２４】
次に、各側面板１７の更なる特徴について説明する。各側面板１７は、例えば、図２、図３に示したように、収容空間１２Ａの横幅を局所的に大きくする帯状窪み部２４を有している。各帯状窪み部２４は、高さ方向に延在するとともに、収容空間１２Ａに露出している。帯状窪み部２４は、側面板１７の内面（つまり、収容空間１２Ａ側の面）に設けられている。各側面板１７は、さらに、例えば、図２、図３に示したように、側面板１７の外面に、帯状窪み部２４に対応して帯状突出部２５を有している。
【００２５】
各帯状突出部２５は、高さ方向に延在するとともに、外部に突出している。各帯状突出部２５は、正面板１８側から本体部１０を見たときに、縫い代２１よりも外にはみ出さない位置に形成されていることが好ましい。帯状窪み部２４および帯状突出部２５は、側面板１７全面に使用される基材をプレス加工することにより形成されたものである。従って、帯状突出部２５は、帯状窪み部２４を転写した形状に類似している。側面板１７全面に使用される基材としては、例えば、皮革と、ＰＥＴなどの樹脂フィルムとを互いに張り合わせたものが挙げられる。側面板１７では、例えば、皮革が外面に配置され、樹脂フィルムが内面に配置される。
【００２６】
一方の側面板１７に設けられた帯状窪み部２４と、他方の側面板１７に設けられた帯状窪み部２４とは、収容空間１２Ａの横幅方向において互いに対向配置されている。一方の帯状窪み部２４の底面と他方の帯状窪み部２４の底面との距離Ｄ１（図３参照）が、Ａ４フラットファイルの横幅（具体的には２３０ｍｍ）よりも広くなっている。このとき、一方の側面板１７と他方の側面板１７との距離のうち、帯状窪み部２４の無いところの距離は、例えば、Ａ４フラットファイルの横幅（具体的には２３０ｍｍ）以下となっている。なお、一方の側面板１７と他方の側面板１７との距離のうち、帯状窪み部２４の無いところの距離が、Ａ４フラットファイルの横幅（具体的には２３０ｍｍ）よりも僅かに大きくなっていてもよい。各帯状窪み部２４の横幅Ｄ２（図３参照）は、Ａ４フラットファイルの背幅（具体的には１８ｍｍ）よりも広くなっている。帯状窪み部２４の横幅Ｄ２は、例えば、図２、図３に示したように、場所に依らず均一または略均一となっている。従って、主収容部１２は、一対の帯状窪み部２４によって形成される、横幅の広い領域に、少なくとも１冊のＡ４フラットファイルを収容可能となっている。Ａ４フラットファイルを１冊だけ収容可能となっていればよい場合には、各帯状窪み部２４の横幅Ｄ２は、Ａ４フラットファイルの背幅（具体的には１８ｍｍ）よりも若干広い幅（例えば、３０ｍｍ程度）となっている。
【００２７】
帯状窪み部２４および帯状突出部２５は、側面板１７の上端から下端に渡って延在している。例えば、図２、図３に示したように、上述した補強部２３が設けられている場合、各帯状窪み部２４のうち、側面板１７の上端に位置する部分は、補強部２３によって覆われている。さらに、各帯状突出部２５のうち、側面板１７の上端に位置する部分は、補強部２３によって覆われている。このとき、一方の側面板１７の上端に設けられた補強部２３と他方の側面板１７の上端に設けられた補強部２３との距離のうち、帯状窪み部２４のあるところの距離Ｄ３が、Ａ４フラットファイルの横幅（具体的には２３０ｍｍ）よりも広くなっている。このとき、一方の側面板１７の上端に設けられた補強部２３と他方の側面板１７の上端に設けられた補強部２３との距離のうち、帯状窪み部２４の無いところの距離は、例えば、Ａ４フラットファイルの横幅（具体的には２３０ｍｍ）以下となっている。なお、一方の側面板１７の上端に設けられた補強部２３と他方の側面板１７の上端に設けられた補強部２３との距離のうち、帯状窪み部２４の無いところの距離が、Ａ４フラットファイルの横幅（具体的には２３０ｍｍ）よりも僅かに大きくなっていてもよい。各帯状窪み部２４の横幅Ｄ２は、Ａ４フラットファイルの背幅（具体的には１８ｍｍ）と、帯状窪み部２４の側面に位置する補強部２３の厚みとを互いに加算することにより得られた値よりも広くなっている。上述した「帯状窪み部２４の側面に位置する補強部２３の厚み」は、例えば、補強部２３の２枚分の厚み（例えば１ｍｍ×２）に相当する。このとき、Ａ４フラットファイルの背幅（具体的には１８ｍｍ）と、帯状窪み部２４の側面に位置する補強部２３の厚み（例えば１ｍｍ×２）とを互いに加算することにより得られた値は、例えば、２０ｍｍとなっている。Ａ４フラットファイルを１冊だけ収容可能となっていればよい場合には、各帯状窪み部２４の横幅Ｄ２は、Ａ４フラットファイルの背幅（１８ｍｍ）と、帯状窪み部２４の側面に位置する補強部２３の厚み（例えば１ｍｍ×２）とを互いに加算することにより得られた値（例えば２０ｍｍ）よりも若干広い幅（例えば、３０ｍｍ程度）となっている。
【００２８】
[１．２  効果]
次に、本実施の形態のランドセル１の効果について説明する。
【００２９】
本実施の形態のランドセル１では、収容空間１２Ａの横幅を局所的に大きくする帯状窪み部２４が各側面板に設けられている。これにより、一対の帯状窪み部２４によって形成される空隙を利用して、Ａ４フラットファイルを収容空間１２Ａに収容することができる。このとき、収容空間１２Ａの横幅は、帯状窪み部２４の設けられている部分よりも、帯状窪み部２４の設けられていない部分において、狭くなっている。そのため、収容空間の横幅が場所に依らず均一となっており、かつ、Ａ４フラットファイルを収容可能な大きさとなっている従来型のランドセルと比べて、収容空間１２Ａの容積を小さくすることができ、さらに、ランドセル１の重量も小さくすることができる。
【００３０】
本実施の形態のランドセル１では、各帯状窪み部２４は、樹脂成形によって形成された部品で構成されたものではなく、側面板１７全面に使用される基材をプレス加工することにより形成されたものである。そのため、樹脂成形によって形成された重量の重い部品を使う必要がなく、さらに、帯状窪み部２４専用の部材を追加する必要もないので、帯状窪み部２４をランドセル１に設けたことによる重量の増大はない。従って、本実施の形態のランドセル１では、従来型のものよりも重量および容積を小さく抑えつつ、Ａ４フラットファイルを収容することができる。
【００３１】
本実施の形態のランドセル１において、上述の補強部２３が設けられている場合には、帯状窪み部２４の型崩れを抑制することができる。その結果、長期間に渡ってＡ４フラットファイルを収容することが可能である。
【００３２】
本実施の形態のランドセル１において、各帯状突出部２５が、正面板１８側から本体部１０を見たときに、縫い代２１よりも外にはみ出さない位置に形成されている場合には、ランドセル１の最大横幅を、Ａ４フラットファイルに非対応の旧来型のランドセルと同じ大きさにしたままで、Ａ４フラットファイルを収容することが可能である。
【００３３】
本実施の形態のランドセル１において、帯状窪み部２４が、側面板１７の中央に設けられている場合には、帯状窪み部２４にＡ４フラットファイルを嵌め込むことにより、Ａ４フラットファイルを仕切り板として機能させることができる。従って、この場合には、仕切り板が大収容部の収容空間内に設置されたランドセルに、Ａ４フラットファイルを収容した場合と比べて、仕切り板の分だけ、ランドセルの重量を軽くすることができる。
【００３４】
＜２．変形例＞
【００３５】
[２．１  縫い代が省略された例]
上記実施の形態では、縫い代２１が設けられていたが、例えば、図５に示したように、省略されていてもよい。この場合、一対の側面板１７および底面板１９の端縁は、例えば、図６に示したように、内側に折り曲げられている。一対の側面板１７および底面板１９と、背板部１１とは、縫い代無しで互いに縫合されている。一対の側面板１７および底面板１９は、例えば、Ｕ字型に折り曲げた１枚の帯状基材のうち、幅方向の端縁を内側に折り曲げた上で、背板部１１に縫い合わせることにより形成されている。本変形例において、帯状突出部２４は、正面板１８側から本体部１０を見たときに、背板部１１から外にはみ出した位置に形成されている。
【００３６】
[２．２  その他の例]
上記実施の形態およびその変形例では、帯状窪み部２４の横幅Ｄ２は、例えば、図２、図３に示したように、場所に依らず均一または略均一となっていたが、場所に依って不均一になっていてもよい。例えば、図７に示したように、帯状窪み部２４の横幅Ｄ２が、側面板１７の下端側よりも側面板１７の上端側で広くなっていてもよい。
【００３７】
また、上記実施の形態およびその変形例では、帯状窪み部２４は、側面板１７に単独で設けられていたが、例えば、図８に示したように、側面板１７に設けられた１または複数の窪み部２６と連通していてもよい。このとき、側面板１７は、側面板１７の外面に、窪み部２６に対応して突出部２７を有している。各突出部２７は、外部に突出している。窪み部２６および突出部２７は、側面板１７全面に使用される基材をプレス加工することにより形成されたものである。従って、突出部２７は、窪み部２６を転写した形状と類似している。帯状突出部２５および１または複数の突出部２７は、側面板１７の外面に設けられた装飾２８を構成している。従って、帯状突出部２５は、側面板１７の外面に設けられた装飾２８の一部を構成している。
【００３８】
また、上記実施の形態およびその変形例では、帯状窪み部２４は、例えば、図２〜図６に示したように、側面板１７のうち、背板部１１寄りに設けられていたが、例えば、図９に示したように、側面板１７の中央に設けられていてもよい。帯状窪み部２４が側面板１７の中央に設けられている場合に、帯状窪み部２４にＡ４フラットファイルが嵌め込まれているときには、Ａ４フラットファイルが大収容部１１内の収容空間１２Ａを２つの空間に区分けする仕切り板として機能し得る。
【００３９】
なお、上記各変形例において、図７、図８、図９では、縫い代２１が設けられていたが、一対の側面板１７および底面板１９と、背板部１１とが、縫い代２１無しで互いに縫合されていてもよい。
【００４０】
また、上記実施の形態およびその変形例では、各帯状窪み部２４は、側面板１７全面に使用される基材をプレス加工することにより形成されたものであったが、それ以外の方法によって形成されたものであってもよい。各帯状窪み部２４は、例えば、複数枚の基材を互いに貼り合わせることにより形成されたものであってもよい。なお、本変形例において、帯状窪み部２４は、上記第１の実施の形態と同様の寸法で構成されている。
【００４１】
図１０は、本変形例に係る帯状窪み部２４の形成された側面板１７の一部の断面構成の一例を表したものである。図１１は、本変形例に係る帯状窪み部２４の形成された側面板１７の一部の断面構成の他の例を表したものである。図１２は、図１０、図１１に記載の側面板１７の上端に設けられた補強部２３の上面構成の一例を表したものである。
【００４２】
本変形例において、側面板１７は、収容空間１２Ａの横幅を局所的に大きくする帯状窪み部２４を有している。帯状窪み部２４は、高さ方向に延在するとともに、収容空間１２Ａに露出している。帯状窪み部２４は、側面板１７の内面（つまり、収容空間１２Ａ側の面）に設けられている。側面板１７の外面のうち、帯状窪み部２４に対応した位置は、例えば、図１０、図１１に示したように、平坦面となっている。つまり、帯状窪み部２４に対応した位置に、帯状突出部２５が存在していない。なお、側面板１７の外面に、装飾が施された結果、側面板１７の外面のうち、帯状窪み部２４に対応した位置に、凸形状や凹形状が存在していてもよい。
【００４３】
帯状窪み部２４を有する側面板１７は、例えば、図１０に示したように、外面を構成する第１層１７Ａと、内面を構成する１または複数の第２層１７Ｂとを互いに貼り合わせることにより形成されている。第１層１７Ａは、例えば、皮革で形成されている。第２層１７Ｂは、例えば、ＰＥＴなどの樹脂フィルムで構成されている。２枚の第２層１７Ｂが、互いに接しないように間隙を空けて、第１層１７Ａに貼り合わされている場合、第１層１７Ａに貼り合わされた２枚の第２層１７Ｂの間隙が、帯状窪み部２４となる。また、切り欠きの設けられた１枚の第２層１７Ｂが第１層１７Ａに貼り合わされている場合、第２層１７Ｂの切り欠きが、帯状窪み部２４となる。いずれの場合においても、帯状窪み部２４の底面には、第１層１７Ａの平坦面が露出している。
【００４４】
なお、第２層１７Ｂが、複数の層を互いに貼り合わせたもので構成されていてもよい。例えば、図１１に示したように、第２層１７Ｂが、２枚の層（第３層１７Ｃおよび第４層１７Ｄ）を互いに貼り合わせたもので構成されていてもよい。この場合、第１層１７Ａ側の第３層１７Ｃが、例えば、皮革、または、ＰＥＴなどの樹脂フィルムで構成されている。また、収容空間１２Ａ側の第４層１７Ｄが、例えば、ＰＥＴなどの樹脂フィルムで構成されている。
【００４５】
帯状窪み部２４は、側面板１７の上端から下端に渡って延在している。例えば、側面板１７の上端に、補強部２３が設けられている場合、各帯状窪み部２４のうち、側面板１７の上端に位置する部分は、例えば、図１２に示したように、補強部２３によって覆われている。このとき、一方の側面板１７の上端に設けられた補強部２３と他方の側面板１７の上端に設けられた補強部２３との距離のうち、帯状窪み部２４のあるところの距離Ｄ３が、Ａ４フラットファイルの横幅（具体的には２３０ｍｍ）よりも広くなっている。このとき、一方の側面板１７の上端に設けられた補強部２３と他方の側面板１７の上端に設けられた補強部２３との距離のうち、帯状窪み部２４の無いところの距離は、例えば、Ａ４フラットファイルの横幅（具体的には２３０ｍｍ）以下となっている。なお、一方の側面板１７の上端に設けられた補強部２３と他方の側面板１７の上端に設けられた補強部２３との距離のうち、帯状窪み部２４の無いところの距離が、Ａ４フラットファイルの横幅（具体的には２３０ｍｍ）よりも僅かに大きくなっていてもよい。各帯状窪み部２４の横幅Ｄ２は、Ａ４フラットファイルの背幅（具体的には１８ｍｍ）と、帯状窪み部２４の側面に位置する補強部２３の厚みとを互いに加算することにより得られた値よりも広くなっている。上述した「帯状窪み部２４の側面に位置する補強部２３の厚み」は、例えば、補強部２３の２枚分の厚み（例えば１ｍｍ×２）に相当する。このとき、Ａ４フラットファイルの背幅（具体的には１８ｍｍ）と、帯状窪み部２４の側面に位置する補強部２３の厚み（例えば１ｍｍ×２）とを互いに加算することにより得られた値は、例えば、２０ｍｍとなっている。Ａ４フラットファイルを１冊だけ収容可能となっていればよい場合には、各帯状窪み部２４の横幅Ｄ２は、Ａ４フラットファイルの背幅（１８ｍｍ）と、帯状窪み部２４の側面に位置する補強部２３の厚み（例えば１ｍｍ×２）とを互いに加算することにより得られた値（例えば２０ｍｍ）よりも若干広い幅（例えば、３０ｍｍ程度）となっている。
【００４６】
本変形例では、各帯状窪み部２４は、樹脂成形によって形成された部品で構成されたものではなく、複数枚の基材を互いに貼り合わせることにより形成されたものである。そのため、樹脂成形によって形成された重量の重い部品を使う必要がないので、帯状窪み部２４を本変形例に係るランドセル１に設けたことによる重量の増大はない。従って、本変形例に係るランドセル１では、従来型のものよりも重量および容積を小さく抑えつつ、Ａ４フラットファイルを収容することができる。
【００４７】
また、上記実施の形態およびその変形例では、本技術がランドセルに適用された場合が例示されていたが、本技術はリュックサック等の背負い鞄に対しても適用可能である。また、上記実施の形態およびその変形例では、本技術がＡ４フラットファイル対応のランドセルに適用された場合が例示されていたが、本技術はＡ４クリアファイルよりも大きなサイズのファイルに対応したランドセルやリュックサック等の背負い鞄に対して適用可能である。
【符号の説明】
【００４８】
１…ランドセル、１０…本体部、１１…背板部、１２…主収容部、１２Ａ…収容空間、１３，１４…従収容部、１５…固定部、１６…かぶせ部、１７…側面板、１７Ａ…第１層、１７Ｂ…第２層、１７Ｃ…第３層、１７Ｄ…第４層、１８…正面板、１９…底面板、２０…肩ベルト、２１…縫い代、２２，２３…補強部、２４…帯状窪み部、２５…帯状突出部、２６…窪み部、２７…突出部、２８…装飾、Ｄ１…距離、Ｄ２…幅。
【図１】
2014183859.tif 000003
【図２】
2014183859.tif 000004
【図３】
2014183859.tif 000005
【図４】
2014183859.tif 000006
【図５】
2014183859.tif 000007
【図６】
2014183859.tif 000008
【図７】
2014183859.tif 000009
【図８】
2014183859.tif 000010
【図９】
2014183859.tif 000011
【図１０】
2014183859.tif 000012
【図１１】
2014183859.tif 000013
【図１２】
2014183859.tif 000014